(57)【要約】【課題】再生しながらデータの消去を可能にする。【解決手段】再生するデータを記憶するメモリ１５のアドレスを第１のポインタで指定する機能、第１のポインタに対応付けてメモリ１５に第２のポインタを付与する機能、消去するデータのアドレスを第１のポインタに代わる第３のポインタで指定する機能、第３のポインタと第２のポインタとの一致を条件に第２のポインタが指定するアドレスのデータの消去を指示する機能を実行する。【選択図】図２
2008187491.tif 000002
【特許請求の範囲】
【請求項１】
再生するデータを記憶するメモリのアドレスを第１のポインタで指定する手段と、
前記第１のポインタに対応付けて前記メモリに第２のポインタを付与する手段と、
消去するデータのアドレスを前記第１のポインタに代わる第３のポインタで指定する手段と、
前記第３のポインタと前記第２のポインタとの一致を条件に前記第２のポインタが指定するアドレスのデータの消去を指示する手段とを備えるメモリ制御装置。
【請求項２】
再生するデータを記憶するメモリのアドレスを第１のポインタで指定するステップと、
前記第１のポインタに対応付けて前記メモリに第２のポインタを付与するステップと、
消去するデータのアドレスを前記第１のポインタに代わる第３のポインタで指定するステップと、
前記第３のポインタと前記第２のポインタとの一致を条件に前記第２のポインタが指定するアドレスのデータの消去を指示するステップとを備えるメモリ制御方法。
【発明の詳細な説明】
【技術分野】
【０００１】
本発明はメモリのデータ消去を制御する技術に関する。
【背景技術】
【０００２】
記憶媒体の大容量化に伴い、放送番組等の容量の大きいコンテンツの記憶も可能になっている。しかし、連続番組等は複数回に分けて放送されるため、全ての番組の記憶ができれば良いが、容量不足により次回放送分の番組を記憶できない場合もある。そこで、過去の放送を消去して記憶容量を確保し、最新の番組の記憶を可能にする装置の提案もある（特許文献１参照）。
【特許文献１】特開２００２−３３９８６号公報
【発明の開示】
【発明が解決しようとする課題】
【０００３】
上記装置は、番組の録画に際し、過去の放送番組が消去可能か否かを判断した後に番組の消去を行い、最新の番組を記憶するものである。したがって、判断工程、消去工程を経てから記憶を開始するため、実際に記憶を開始するまでに時間がかかるという課題がある。予約番組等、予め記憶する対象が決まっている場合は、記憶開始時間までに上記判断工程、消去工程を行えば問題ないが、直ぐに記憶を開始したい状況には対応できない。
【課題を解決するための手段】
【０００４】
本発明は、再生するデータを記憶するメモリのアドレスを第１のポインタで指定する手段と、前記第１のポインタに対応付けて前記メモリに第２のポインタを付与する手段と、消去するデータのアドレスを前記第1のポインタに代わる第３のポインタで指定する手段と、前記第３のポインタと前記第２のポインタとの一致を条件に前記第２のポインタが指定するアドレスのデータの消去を指示する手段とを備える。また、本発明は、再生するデータを記憶するメモリのアドレスを第１のポインタで指定するステップと、
前記第１のポインタに対応付けて前記メモリに第２のポインタを付与するステップと、消去するデータのアドレスを前記第1のポインタに代わる第３のポインタで指定するステップと、前記第３のポインタと前記第２のポインタとの一致を条件に前記第２のポインタが指定するアドレスのデータの消去を指示するステップとを備える。この構成によれば、再生したデータのアドレスをポインタで指定し、ポインタが示すアドレスのデータを消去することで、再生しながらデータを消去することが可能となる。
【発明を実施するための最良の形態】
【０００５】
図１は本発明の実施形態に係るメモリ制御装置を搭載する無線通信端末の構成を示す図である。無線通信端末は、無線部１と、受信したＲＦ信号をベースバンド信号にダウンコンバートするベースバンド処理部２と、ベースバンド信号をデジタル信号に変換するＡ／Ｄ変換部３と、表示部４と、デジタル画像信号をアナログ信号に変換するＤ／Ａ変換部５と、スピーカ６と、デジタル音声信号をアナログ信号に変換するＤ／Ａ変換部７と、画像処理部８と、音声処理部９と、ＣＰＵ１０と、圧縮された画像信号、音声信号を記憶する画像メモリ、音声メモリ及びインデックス管理用メモリを備えるメモリ１５と、プログラムを格納するメモリ１６と、音声、画像データのインデックス情報を記憶するメモリ１７と、時計１８と、操作部１９とを備える。
【０００６】
プログラムは、操作、表示を行う入出力機能、インデックス表示、消去フラグのオン／オフ、再生画像表示、再生音声出力を行う画面操作機能、インデックスの作成・更新、画像音声データの記録・再生・消去を行うデータ操作機能を備える。ＣＰＵ１０はプログラムに基づいて、各種インデックスの作成・管理、ポインタの管理、画像メモリ及び音声メモリに管理、エンコーダ及びデコーダの動作管理、Ａ／Ｄ及びＤ／Ａの管理を行う。
【０００７】
インデックス管理用メモリに記憶されるインデックス情報は、記憶したデータの再生、消去に必要な情報を示すもので、キー情報（記憶開始時刻、記憶終了時刻、データ名（番組情報等））、メモリ１５の記憶アドレスを含み、さらに、第１のポインタが付与される。第１のポインタは番組毎に付与され。また、メモリ１５のデータ領域の一部には第２のポインタが番組毎に付与される。
【０００８】
図２はポインタの状態を示す図である。ＣＰＵ１０はメモリ１５に記憶された音声、画像データは、インデックス情報を利用して再生したいデータが記憶されているメモリ１５のアドレスを第１ポインタで指定する。その後、データの再生に使用した再生インデックスの第２のポインタを第３のポインタに代えて、データの消去に使用する消去インデックスとして用い、第３のポインタとデータを再生しているアドレスを示す第２のポインタとを比較する。第３のポインタと第２のポインタとが一致した場合は、第２のポインタが示すアドレスのデータを消去する。
【０００９】
図３は再生に使用するインデックスを生成する手順を示す図であり、放送番組を記憶する場合を例に説明する。放送信号を受信し（Ｓ１０１）、圧縮した後に録画を開始する（Ｓ１０２）。録画経過とともにポインタ情報を付与する（Ｓ１０３）。その後、インデックス情報を構成する録画開始時刻、録画終了時刻、データ名及びポインタ情報を収集してインデックスを生成する（Ｓ１０４）。
【００１０】
図４はデータを消去する手順を示す図である。図３で生成した再生インデックスを利用して再生したいデータが記憶されているメモリ１５のアドレスを第１ポインタで指定し、録画番組を再生する（Ｓ２０１）。再生する番組のデータの消去を示すフラグを確認し、フラグが立っていれば消去モードに移行する（Ｓ２０２）。なお、フラグは画像のみを消去するフラグ、音声のみを消去するフラグ、画像音声を消去するフラグを備える。次に、再生に使用した再生インデックスの第２のポインタを第３のポインタに代えて、データの消去に使用する消去インデックスとして用いる（Ｓ２０３）。データの再生から消去までにはメモリの特性に応じて時間がかかるため、再生インデックスを所定時間遅延した後に消去インデックスとして用いる。ＣＰＵは画像音声データを処理部へ転送する際に、第２のポインタを監視し（Ｓ２０４）、第３のポインタと第２のポインタとが一致した場合は第２のポインタが示すアドレスのデータを消去する（Ｓ２０５）。
【００１１】
図５はインデックスとポインタとの関係を示す図であり、図５（１）は再生インデックスと第１のポインタとの関係、図５（２）は消去インデックスと第３のポインタとの関係を示している。図中、実線で示した領域が表示部に表示される。図６は操作シーケンスを示しており、（Ａ）第１のポインタを参照して図５（１）で示した再生インデックスを表示し、（Ｂ）第３のポインタを参照して図５（２）で示した消去インデックスを表示する。また（Ｃ）番組を表示する場合は、第２のポインタを参照する。
【００１２】
上記実施形態によれば、視聴した放送番組が記憶されたメモリのアドレスをポインタで指定し、ポインタが示すアドレスのデータを消去することで、視聴しながら放送番組を消去することが可能となる。これにより、記憶媒体に十分な容量を確保することができ、即座の録画が可能となる。
【図面の簡単な説明】
【００１３】
【図１】本発明の実施形態の構成を示す図
【図２】ポインタの状態を示す図
【図３】インデックスを生成する手順を示す図
【図４】データを消去する手順を示す図
【図５】インデックスとポインタとの関係を示す図
【図６】操作シーケンスを示す図
【符号の説明】
【００１４】
１  無線部
２  ベースバンド処理部
３  Ａ／Ｄ変換部
４  表示部
５、７  Ｄ／Ａ変換部
６  スピーカ
８  画像処理部
９  音声処理部
１０  ＣＰＵ
１１  ＲＯＭ
１２  ＲＡＭ
１５  画像メモリ、音声メモリ（メモリ）
１６  プログラム用メモリ
１７  インデックス管理用メモリ（再生インデックス、消去インデックス）
１８  時計
１９  操作部
【図１】
2008187491.tif 000003
【図２】
2008187491.tif 000004
【図３】
2008187491.tif 000005
【図４】
2008187491.tif 000006
【図５】
2008187491.tif 000007
【図６】
2008187491.tif 000008